(57)【特許請求の範囲】
【請求項１】
シリンダ２前面を閉塞する第１前壁３から第１ノズル４を前方突出すると共に、該第１ノズルから該第１ノズル内と連通させて垂設した吸上げ筒５下端を、キャップ６の頂壁７に貫設し、又シリンダから直接ないし間接に支持板14とハンドル15とを突設した主部材１と、
上記キャップ６に口頸部を嵌合させて垂設した容器体21と、
上記吸上げ筒下端内へ上端部を嵌着させて容器体内へ垂設した吸上げパイプ31と、
上記シリンダ内へ、後方抜出しが不能に前部を嵌合させて後方付勢により後部をシリンダ後方へ突出させて設けたプランジャ41と、
上記支持板14後部への枢着部73と、プランジャ後端面への係合部74とを有し、かつレバー下部を上記ハンドル15の前方ないし後方に位置させて、上記係合部74から枢着部73までよりも枢着部73ないし係合部からレバー下部までの距離を大きく設けた操作レバー71とを有し、
上記ハンドルおよび操作レバー下部を共に握持し、締付けすることでの枢着部73を中心とする操作レバー71の回動で、上記プランジャ41を付勢に抗して前進させることが可能に形成した
ことを特徴とする液体吸上げ式スプレー。
【請求項２】
上記吸上げ筒５とシリンダ第１前壁３の下部前面とを、又シリンダ下面と該シリンダ下方のキャップ頂壁部分とを、それぞれ直接ないし間接に連結すると共に、キャップ頂壁の外周から垂下して容器体口頸部外面へ嵌合させる周壁7aを介して断面逆Ｕ字形状に、頂板14a 左右から側板14b,14b を垂下する支持板14を後方突出し、かつ該支持板の頂板および左右側板の後端部を斜下後方へ延長し垂下させてこれ等垂下部分をハンドル15となし、又頂板14a の後部を開孔16して該開孔内へ操作レバー71の中間部を挿通させて該挿通部分下方のレバー部分と該部分に対応する支持板の左右側板部分とを枢着させた
ことを特徴とする、請求項１記載の液体吸上げスプレー。
【請求項３】
第２前壁８から第２ノズル９を前方突出する補助部材10を設けて、第２前壁８を第１前壁３の後面へ当接させると共に、第２ノズル９を第１ノズル４内へ固着させ、かつ上記第１ノズル内面へ開孔する吸上げ筒孔5a上端と第２ノズル内とを連通する通路孔9aを第２ノズル９に穿設し、又第２ノズルの基端部内面に、第２ノズル内径よりも小内径のフランジ孔を有する内向きフランジ11を付設した
ことを特徴とする請求項１又は２記載の液体吸上げ式スプレー。
【請求項４】
上記プランジャ41の前端部を、張出し壁部42を介して大外径部43に形成すると共に、
シリンダの後部外面へ後方抜出しがほぼ不能に嵌合筒62を嵌合させて、該嵌合筒後端に付設した内向きフランジ状の後板63内周縁からガイド筒64を前方突出するプランジャ保持部材61を設けて、上記ガイド筒64内へプランジャ前部を摺動自在に嵌合させた
ことを特徴とする請求項１、２又は３記載の液体吸上げ式スプレー。
【請求項５】
上記プランジャ41を前面開口でかつ後面閉塞の筒部に形成して、該筒部内へ、プランジャ付勢用のコイルスプリング51の後部を挿入させた
ことを特徴とする請求項１、２、３又は４記載の液体吸上げ式スプレー。
【発明の詳細な説明】
【０００１】
【発明の属する技術分野】
本発明は、液体吸上げ式スプレーに関する。
【０００２】
【従来の技術】
従来いわゆる縦型ポンプ式とか、トリガー式、或いは高圧ガスによる液面加圧で噴霧するエアゾール式等の噴霧器が広く知られている。
【０００３】
【発明が解決しようとする課題】
上記従来の噴霧器は、液体を高速で噴出させ、該噴出液体が外気に触れて霧化するよう設けているから、噴出液体の粘度が高くなると霧化が不完全となり易いものであった。
【０００４】
上記噴霧器のほか、古くから知られている噴霧器として、高速で噴出する空気流によって液体を吸上げし、上記空気流中に混入させて霧化し噴霧するものも知られている。該噴霧器は先端部内径を小径とする吹き筒基端を口にくわえ、吹くことで上記空気流を形成するから、その空気流は機械的に得られる空気流に比べて遅く、又吹き筒基端を口に入れる等するため、衛生上噴霧用液体は飲料水等に限られることとなり、よって最近では殆んど使用されていない。
【０００５】
本発明は、上記液体吸上げ式の噴霧器が、高速の空気流によって液体を吸上げして霧化する点に着目して、上記吹き筒に代えて、前面からノズルを突出するシリンダを設け、該シリンダ内へ嵌合させたプランジャをレバーを利用して容易にシリンダ前方へ押込みすることで上記高速の空気流を得られるようにしたもであり、このようにすることで粘性の高い油等でも噴霧できるよう設けたものである。
【０００６】
【発明の実施の形態】
以下図１が示す第１実施形態について説明すると、１は主部材である。該主部はシリンダ２前面を閉塞する第１前壁３中央部から第１ノズル４を前方突出すると共に、該第１ノズル内と連通させて吸上げ筒５を垂下し、該吸上げ筒下端を、後述容器体に嵌合させるキャップ６の頂壁７前部に貫設している。
【０００７】
図示例にあっては第２前壁８から第２ノズル９を前方突出する補助部材10を設けて、その第２前壁８を第１前壁後面へ当接させると共に、第２ノズル９を第１ノズル４内へ固着させ、第１ノズル内面へ開孔する吸上げ筒孔5a上端を第２ノズル内とを連通する通路孔9aを第２ノズル下部に穿設している。又第２ノズルの基端部内面には、第２ノズル内径よりも小内径のフランジ孔を有する内向きフランジ11を付設している。第２前壁８後面からは後述コイルスプリング前端部を嵌合させるための短筒12を後方へ突出している。  既述吸上げ筒５とシリンダ第１前壁３の下部前面とは、又シリンダ下面と、該シリンダ下方のキャップ頂壁部分とは連結板13を介して一体に形成することが望ましい。キャップ６は頂壁外周から容器体口頸部外面へ螺合させる周壁7aを垂下させている。
【０００８】
更に上記シリンダからは支持板14とハンドル15とを突出させている。図示例にあっては上記キャップの周壁後部を介して支持板14を後方へ突設し、かつ該支持板後端からハンドル15を斜下後方へ傾斜させて突出している。支持板14は断面逆Ｕ字形状に頂板14a の左右から側板14b,14b を垂下させて形成し、又ハンドル15は上記頂板および左右側板の後端部をそれぞれ斜下後方へ延長させて形成している。又支持板後部の頂板部分は開孔16している。該開孔については後述する。
【０００９】
21は既述キャップ周壁7aに口頸部22を嵌合させて垂設した容器体であり、31は既述吸上げ筒５の下端内へ上端部を嵌着させて容器体内底部まで垂下させた液体吸上げパイプである。
【００１０】
既述シリンダ２内へは、プランジャ41前部をコイルスプリング51で後方付勢させて後方抜出しが不能に嵌合させる。そのプランジャは図示のように前面開口で後面閉塞の筒状に形成して、コイルスプリング51後部をプランジャ内へ挿入させると共に該スプリング前部は既述第１前壁３ないし第２前壁８の後面へ圧接させる。プランジャ41はその前端部を、外向きフランジ状の張出し壁部42を介して大外径部43に形成するとよい。
【００１１】
プランジャの後方抜出し防止のために図示例にあってはプランジャ保持部材61をシリンダの後端部に嵌合させている。該部材はシリンダの後部外面へ嵌着させた嵌合筒62の後端に内向きフランジ状の後板63を付設し、該後板内周縁からガイド筒64を前方突出させ、そのガイド筒内へ摺動自在にプランジャ41を嵌合させている。既述嵌合筒62内面とシリンダ後部外面とには互いに係合する突条を周設してそのプランジャ保持部材61の後方抜出しを防止している。
【００１２】
71は上記プランジャを前方へ押出しするために設けた操作レバーで、既述支持板の頂板後部に穿設した開孔16内へ中間部を挿通させ、開孔下方の左右側板部分と操作レバー中間部とをピン72で枢着させて枢着部73を設け、又操作レバー上端部前面に突部を設けて該突部をプランジャ後端面への係合部74としている。更に操作レバー下部は既述ハンドル15前方へ適宜間隙をおいて位置させ、それ等ハンドル15と操作レバー下部とを共に握持し、かつ締付けすることで上記枢着部73を中心として操作レバー71が回動して係合部74がプランジャ41を前方へ押込み可能に形成している。該操作レバーは枢着部73から係合部74までの距離よりも枢着部73から操作レバー下部までの距離を長く設けて倍力機構を形成し、上記ハンドルおよび操作レバー下部を共に握持し、かつ締付けすることでプランジャ41を容易に前進させることが可能に設けている。
【００１３】
図２は第２実施形態を示す。該実施形態は基本的には第１実施形態の場合と同じであり、下記の点で相違する。よって同一部分については同一符号を付することで説明を省略し、主として相違点について説明する。
【００１４】
主部材のシリンダ２から突出させる支持板14とハンドル15とは、別々に突出している。支持板14はシリンダ２の後部を除く部分上面から起立部を介して後方へ突出してその後端に操作レバー71の上端部をピン72で枢着させて枢着部73を形成している。又ハンドル15は後部を除くシリンダ部分下面へ、連結板13を介して一体に付設したキャップ６後面から後方張出し板を介して下方へ容器体後面との間に間隙をおいて垂下している。
【００１５】
又シリンダ後面からは突部2aを後方突出させ該突部後面へ上記操作レバー71の対応部分を係合部74となし、操作レバー下部を上記ハンドル15後方へ適宜間隙をおいて配置させている。上記係合部としての対応部分は突部2aの後面に対応させた凹状の弯曲面とする。
【００１６】
該実施形態の場合は、枢着部73から係合部74までよりも、該係合部から操作レバー下部までの距離を大としてその操作レバー下部とハンドル15とを共に握持し、かつ締付けすることで操作レバーが枢着部を中心として回動し、該回動により係合部74がプランジャ41後部を押圧して該プランジャを容易に前進させることが可能としている。
【００１７】
既述第１、第２実施形態において、コイルスプリング51を除く各部材は、すべて合成樹脂製としている。
【００１８】
上記各構成において、操作レバーの下部およびハンドル15を共に握持し、締付けすることで既述のようにプランジャ41がシリンダ２内を前進すると、シリンダ内空気がノズル４内を通って噴出し、該噴出により吸上げ筒５および吸上げパイプ31内空気も吸出されることとなり、従って容器体内液体もそれ等吸上げパイプ31および吸上げ筒内を通って第１ないし第２ノズル内へ吸上げられて噴出空気中に混入し、霧となって共に噴出する。次いで既述握持を解放するとプランジャ41はシリンダ内を後退し、該後退による負圧化で第１ないし第２ノズル内を通って外気がシリンダ内へ流入する。
【００１９】
【発明の効果】
本発明は既述構成とするものであり、既述従来例のように、シリンダ内液体をノズルから噴出して該噴出液体を外気と混合して噴霧するのではなく、シリンダ内空気をプランジャ前進により第１ノズルから噴出して、該噴出空気により、該ノズル内に連通して垂下する吸上げ筒および吸上げパイプを介して容器体内液体を吸上げ、噴出空気との混合で噴霧するよう設けたから、噴出液体に対する噴出空気の比率を従来に比してはるかに大とすることが出来、よって噴出液体が例えば油のように粘性が大であっても容易に噴霧させることが出来る。又上記プランジャ41は、操作レバー71下部をハンドル15と共に握持し、かつ締付けすることで、上記操作レバーの係合部74がプランジャを押圧してシリンダ内を前進させるよう設けたから、上記噴霧用液体吸上げ用の噴出空気流を容易に得ることが出来る。
【００２０】
請求項２項のように形成することで、ハンドル15前方に操作レバー71下部を位置させることが出来、これ等を共に握持するときハンドルは掌底側に、かつ指を操作レバーにかけて、又ノズルは前方へ向けて噴霧操作を行うことが出来、その操作が容易となる。
【００２１】
請求項３のような補助部材10を設けることで、主部材１の吸上げ筒５付きの第１ノズル４の内径はさほど小径化させなくてもよく、よって主部材の成形が容易である。
【００２２】
請求項４のようにガイド筒64でプランジャ41を摺動自在に保持させることで、シリンダ内におけるプランジャの摺動をスムーズに行うことが出来る。
【００２３】
請求項５のように形成することで、コイルスプリング51の長さを大とすることが出来、よって該スプリングによるプランジャ41の後方付勢を適度に行うことが容易となる。
【図面の簡単な説明】
【図１】  本発明スプレーの縦断面図である。
【図２】  実施形態を異にして示す、スプレーの縦断面図である。
【符号の説明】
１…主部材                ２…シリンダ
５…吸上げ筒              ６…キャップ
10…補助部材              14…支持板
15…ハンドル              41…プランジャ
71…操作レバー
【図１】
0003710665.tif 000002
【図２】
0003710665.tif 000003